(57)【要約】      （修正有）【課題】全角日本語、半角英数字、記号・約物等の文字を、片手五指によって入力することが出来るハンディ無線キイボードを提供する。【解決手段】握り棒９の先端部に、テンキーパネル３を備え、そのパネルに２０個、パネル裏側に２個、握り棒の左側面に３個のキイスイッチを備え、テンキーパネルの中のキイスイッチ１つと、裏面あるいは側面のキイスイッチ群の中の１つを同時押下すると、その組み合わせに従って１つの文字を生成し、その生成した文字を、接続親機（ＰＣ、タブレット、スマートホン）に無線送信、文字入力できることを特徴とする。【選択図】図１
0003229374.tif 000002
【実用新案登録請求の範囲】
【請求項１】
本キイボードは、前パネルに５列×５行＝２５個のキイスイッチを備える。
【請求項２】
本キイボードは、前パネル裏に２個のキイスイッチを備える。
【請求項３】
本キイボードは、前パネルを支える棒状の握り部分を有する。
【請求項４】
本キイボードは、棒状の握り部分側面に３個のキイスイッチを備える。
【請求項５】
本キイボードは、前パネルの１、２、３、４、５、６、７、８、９のキイを使って、親機のマウスカーソルを操作できる。
【請求項６】
本キイボードは、３０個のキイの組み合わせで２００種の信号を生成する。この２００種の信号を文字コードに変換して無線送信器に送りだすためのマイコンと、そのことを実現するためのソフトウェアを備える。
【請求項７】
マイコンから送られた文字コードを、無線送信するためのＢｌｕｅｔｏｏｔｈチップを備える。
【考案の詳細な説明】
【技術分野】
【０００１】本考案による機器は、手軽に持ち運ぶことができて、テーブルのない状態でもキイタッチ文字入力することができ、さらに同キイから、ＰＣ、スマホ、タブレット等のマウスカーソルを動かして親機を操作することが可能な、無線ハンディタイプキイボードである。
【背景技術】
【０００２】従来は、
１  相手がＰＣの場合には、机に向かって着座し、卓上に置かれたキイボードを両手でキイタッチして操作を実行している。
２  相手がスマホ、タブレットの場合には、ガラスのスクリーン面を一本指で突いたり、擦ったりして操作を実行している
【考案の開示】
【考案が解決しようとする課題】
【０００３】●ＰＣの場合、
１  従来のキイボードは、テーブルの上に置かれる必要があること。
２  その際に、テーブル上で大きな面積を占有すること。
３  従来のキイボードは、その前に着座する必要があること。
４  そしてキイ入力の際に、両手を使用する必要があること。
５  従来のキイボードは、選択実行操作の場合に別途にマウスを使用する必要があること。
６  従来のキイボードは、その大きさから、野外で使うことが絶望的に困難であること。
７  従来のキイボードは、屋外で電源を供給することが絶望的に困難であること。
●スマホ、タブレットの場合、
８  平坦なガラス面のキイ画像を叩いての入力のため、指に位置感覚が残らない。
そのため、常に画面を見つめながらのタッチが必要となる。
９  １０キイだけによって、ア〜ンまで四十数文字を作成しているので、
１文字を生成するために、１キイを数回連打せねばならないこと。
１０  １０キイだけによって、ア〜ンまで四十数文字を作成しているので、１つのキイの    押下後、その指を４つの方向に撥ねたりせねばならないこと。
１１  １キイ押下の後に、別の撥ね動作を要するため、入力作業のリズムが悪いこと、と    同に時間を要すること。
【課題を解決するための手段】
【０００４】本考案においては、片手ハンディタイプの入力とＢｌｕｅｔｏｏｔｈ通信の採用によって、上記１、２、３の課題を解決している。【０００５】本考案による機器では、前パネルの１０キイ以外に５つのキイを、親指以外の四指の押下位置に設置し、１０キイとの組み合わせで、２００の文字種生成を可能にしている。
押下２キイから文字コードを生成するためには、イタリア製のマイコン、アルディーノを使用している（コントロールするプログラムは自前の開発）。
生成した文字コードは、ＲＮ４２  Ｂｌｕｅｔｏｏｔｈモジュールによって接続親機に送信される。
こうした文字生成と送信はすべて、片手での操作が可能な構成となっている。
これによって、上記４の課題を解決している。【０００６】本考案による機器では、、１０キイパネルの１から９までのキイは、モード変更キイの押下によって放射状８方向へのマウス移動キイとして働く。
これによって、上記５の課題を解決している。【０００７】本考案による機器は手の平の中に納まる大きさである。
それによって、上記６の課題を解決している。【０００８】本考案による機器はリチウムイオン電池を備えている。
それによって、上記７の課題を解決している。【０００９】本考案による機器では、キイはすべて物理キイである。そのことから操作者はタッチした指の感覚によってキイ位置を認識する。よってキイ入力はブラインドでも達成できる。それによって、上記８の課題を解決している。【００１０】本考案による機器では、１文字の生成は、親指と他の１指によって「つまむ」という１アクションによっている。だから１文字入力から次の文字までの間に、余計な動作の入り込む余地がなく、快いテンポとリズムで文字を入力し続けることが出来る。
それによって、上記９、１０、１１の課題を解決している。
【考案の未来的効果特性】
【００１１】本器の使用は、常に５本の指を動かすことを必要とする作業なので、脳の老化抑止トレーニングになる。
【００１２】プログラマブルなマイコンを備えているので、教育現場でのプログラミング学習の教材に適する。
【００１３】音声言葉より正確、高度なロボット、コンピュータ機器とのコミュニケーションが可能。
【００１４】ソフトの追加によって、音楽キイボードとして使用できる。
【００１５】聾唖者にとっての手話の代替。
【図面の簡単な説明】
【００１６】
【図１】上面写真
【図２】左側面写真
【図３】上裏面写真
【図４】使用状態を示す参考斜視写真
【図５】前パネルの機能の図
【図６】背面から見た四指キイの機能の図
【符号の説明】
【００１７】▲１▼    前パネル
▲２▼    ファンクションキイ群
▲３▼    テンキイ
▲４▼    三指キイ
▲４▼’  四指キイ
▲５▼    イ音＆濁点キイ
▲６▼    マイコン（Ａｒｄｕｉｎｏ）
▲７▼    ブルーテュース（ＲＮ４２）
▲８▼    リチウム蓄電池
▲９▼    握りグリップ
【図１】
0003229374.tif 000003
【図２】
0003229374.tif 000004
【図３】
0003229374.tif 000005
【図４】
0003229374.tif 000006
【図５】
0003229374.tif 000007
【図６】
0003229374.tif 000008
【手続補正書】
【提出日】令和2年8月20日(2020.8.20)
【手続補正１】
【補正対象書類名】実用新案登録請求の範囲
【補正対象項目名】全文
【補正方法】変更
【補正の内容】
【実用新案登録請求の範囲】
【請求項１】
握り棒の先端部に、テンキーパネルを備え、そのパネルに２０個、パネル裏側に２個、握り棒の左側面に３個のキイスイッチを備え、テンキーパネルの中のキイスイッチ１つと、裏面あるいは側面のキイスイッチ群の中の１つを同時押下すると、その組み合わせに従って１つの文字を生成し、その生成した文字を、接続親機（ＰＣ、タブレット、スマートホン）に送信、文字入力できることを特徴とする、片手五指入力無線キイボード。
【請求項２】
マイコンから送られた文字コードを、接続親機に無線送信するためにＢｌｕｅｔｏｏｔｈ（登録商標）チップを使用していることを特徴とする、片手五指入力無線キイボード。